(57)【要約】【課題】手指の加減で指圧力を自由に調整でき、特に足裏のツボに対する十分な指圧・マッサージ効果を得るようにし、更には肩・腰等にも足裏と同様に適確に刺戟できるようにする。【解決手段】帯板状のベース部２と、該ベース部２の裏面に付設した環状の手指装着部５と、ベース部２の表面に突設した先端突部が球面状の硬質性指圧突起４とを備える。手指装着部５は、手指の例えば人差指、中指、薬指それぞれを挿入可能とした３つの環状帯によって形成し、且つ指圧突起４は、各環状帯の位置に対応してベース部２の表面に３つで配置する。指圧突起４は、ベース部２に内装した剛性の芯板３と一体となって当該ベース部２の外側にボルト３ａを突設配置し、該ボルト３ａにねじ込み装着可能とした袋ナット状に形成する。【選択図】図１
2008188382.tif 000002
【特許請求の範囲】
【請求項１】
帯板状のベース部と、該ベース部の裏面に付設した環状の手指装着部と、ベース部の表面に突設した先端突部が球面状の硬質性指圧突起とを備えてなることを特徴とした指圧器具。
【請求項２】
指圧突起はベース部に並列された複数配置とされている請求項１記載の指圧器具。
【請求項３】
手指装着部は、手指の人差指、中指、薬指それぞれを挿入可能とした３つの環状帯によって形成され、且つ指圧突起は、各環状帯の位置に対応してベース部の表面に３つが配置されている請求項１または２記載の指圧器具。
【請求項４】
指圧突起は、ベース部に内装された剛性の芯板と一体となって当該ベース部の外側にボルトが突設配置され、該ボルトにねじ込み装着可能とした頭部が半球状となった袋ナット状に形成されてなる請求項１乃至３のいずれか記載の指圧器具。
【発明の詳細な説明】
【技術分野】
【０００１】
本発明は、手指に装着して特に足裏を押圧するに適し、更には例えば肩・腰・顔・手掌等にも適用して押圧もしくは扱くようにすることで指圧・マッサージを行うための指圧器具に関する。
【背景技術】
【０００２】
従来から、足裏には人体各所に存する臓器その他に連絡する各種の経穴、経絡等が集中されているとされ、それらに対する適宜な押圧刺戟によって臓器その他を健全に維持し、またこれらが悪化しているときにはその回復に役立つとされている。すなわち、足裏のツボ（反射区）に適当な刺戟を与えることによって、血行促進、各器官の活性化、病状改善、健康維持、人間が本来持っている自然治癒力を高める等の効果があるとされている。
【０００３】
そのため、例えば足裏・肩・腰等の指圧を行う場合には、これらのツボに手の親指等を直接押し当てている。また、足裏用の指圧としては、施術者が手指を結んだ状態としたときの外側に突出するようになる第１指関節の如き、硬い部分で押圧している。あるいは足裏の指圧用として、施術者の手指等によらずに例えば足裏のツボ位置に対応した複数の指圧突起を備えた踏み台に足等を直接載せて身体の体重によって指圧を行う種々の足踏み健康器具も数多く知られている。
【０００４】
また、特許文献１に示された指圧棒もある。この指圧棒は２本の棒体を正面からみてＴ字形を呈するように組み合わせたもので、水平状のハンドルを手指にて握持し、垂直状の指圧棒体先端を患部に押し当てるものである。
【特許文献１】特開平８-３２２９０３号公報
【発明の開示】
【発明が解決しようとする課題】
【０００５】
しかしながら、従来においては、例えば足裏・肩・腰等の指圧を行う場合、手の親指、関節等の力では十分な押圧力を有する指圧・マッサージ効果が得られず、しかも長時間において指圧を行う場合では、かなりの労働力が強いられる。そればかりでなく、手指・関節等の身体の一部を直接に使用した押圧では施術者の巧拙によって足裏に対する押圧力が変動し、所定の指圧効果が得られない虞もある。また、従来のような足踏み健康器具では、身体の体重に任せて指圧が行われるため、指圧力の加減が調整できず、しかも足のサイズに応じて指圧突起によるツボ当て位置が異なるため、定型サイズの足踏み健康器具では、足裏のツボを適確に刺戟することが困難なものとなるという問題点を有していた。
【０００６】
また、特許文献１に示された指圧棒によれば、経穴、経絡等に相当し、また連絡する患部に直接に押し当てることはできても、１カ所のみを強く押すようになり、その押し加減の調整は困難である。そればかりでなく、１カ所のみの集中的な押圧刺戟は、経穴、経絡等を必要以上に強く刺戟することになり、被施術者にとってはかえって不快感を感じさせることにもなる。
【０００７】
そこで、本発明は叙上のような従来存した諸事情に鑑み創出されたもので、特に足裏の指圧に際し、長時間の指圧作業でも施術者の労力が軽減され、また指圧力の加減が自由に調整できると共に、足裏のツボを適確に刺戟することができ、これによって施術者の巧拙によらずとも十分な指圧・マッサージ効果が得られるものとし、また肩、腰、顔、頭部、手掌その他の身体各部位に適用するにも好適な指圧器具を提供することを目的とする。
【課題を解決するための手段】
【０００８】
上述した課題を解決するため、本発明にあっては、帯板状のベース部２と、該ベース部２の裏面に付設した環状の手指装着部５と、ベース部２の表面に突設した先端突部が球面状の硬質性指圧突起４とを備えてなり、指圧突起４はベース部２に並列された複数配置とされて構成することができる。
また、手指装着部５は、手指Ｑの人差指、中指、薬指それぞれを挿入可能とした３つの環状帯によって形成され、且つ指圧突起４は、各環状帯の位置に対応してベース部２の表面に３つが配置されているものとすることができる。
さらに、指圧突起４は、ベース部２に内装された剛性の芯板３と一体となって当該ベース部２の外側にボルト３ａが突設配置され、該ボルト３にねじ込み装着可能とした頭部が半球状となった袋ナット状に形成されてなるものとすることができる。
【０００９】
以上のように構成された本発明に係る指圧器具にあって、３つの環状帯によって形成された手指装着部５は、各環状帯に手指Ｑの例えば人差指、中指、薬指それぞれを挿入することで施術者の手指に装着され、各環状帯の位置に対応して配置された指圧突起４は、これら人差指、中指、薬指に対応した箇所に位置付けされる。
先端突部が球面状の指圧突起４は、その硬質性と相俟ち例えば足裏Ｐ等を押圧するとき、適宜な刺戟力をツボ等に与え、経穴、経絡を通じた所定の指圧効果を被施術者に付与させる。
また、袋ナット状に形成された指圧突起４は、芯板３からベース部２の外側に突出したボルト３ａにねじ込み装着されることで、ベース部２の表面に強固な状態で配設され、手指装着部５を介した手指による押圧力を被押圧部位に適確に伝達する。
【発明の効果】
【００１０】
本発明によれば、特に足裏Ｐ、更には例えば肩・腰・顔・頭部・手掌等の指圧に際し、長時間の指圧作業でも労力が軽減され、また指圧力の加減が自由に調整できると共に、足裏Ｐのツボを適確に刺戟でき、施術者の巧拙にかかわらず被施術者に対して十分な指圧・マッサージ効果を与えることができる。
【００１１】
すなわち、これは本発明が、帯板状のベース部２と、該ベース部２の裏面に付設した環状の手指装着部５と、ベース部２の表面に突設した先端突部が球面状の硬質性指圧突起４とを備えてなるからであり、これにより、足裏Ｐその他に対してツボを適確に刺戟することができ、十分な指圧・マッサージ効果が得られ、また肩・腰その他に対しても同様な指圧効果を与えることができる。
【００１２】
指圧突起４はベース部２に並列された複数配置とされていることで、例えば足裏Ｐの患部に押し当てられるとき、１カ所に集中されることなく、適度に分散され、足裏Ｐの各部に存する複数箇所の経穴、経絡等を同時に押圧できる。並列された状態で例えば足裏Ｐ面で平行移動するように扱くことで、順次に経穴、経絡等を刺戟し、人体の臓器、各所その他に対する健全性を高め、悪化している場合にはその回復に大きく役立たせることができる。
【００１３】
また、手指装着部５は、手指Ｑの人差指、中指、薬指それぞれを挿入可能とした３つの環状帯によって形成され、且つ指圧突起４は、各環状帯の位置に対応してベース部２の表面に３つが配置されているので、各環状帯に手指Ｑの人差指、中指、薬指それぞれが装着された際には、各環状帯の位置に対応して配置された指圧突起４が、これら人差指、中指、薬指に対応した箇所に位置付けされるものとなる。これによって足裏Ｐ・肩・腰等のツボを適確に刺戟でき、しかも人差指、中指、薬指それぞれによる押圧力の加減によって指圧力を自由に調整でき、施術者の巧拙にかかわらず、患部状況に適した適確な指圧力を得ることができる。
【００１４】
さらに、指圧突起４は、ベース部２に内装された剛性の芯板３と一体となって当該ベース部２の外側にボルト３ａが突設配置され、該ボルト３ａにねじ込み装着可能とした頭部が半球状となった袋ナット状に形成されてなるので、ベース部２の表面に対し指圧突起４自体を強固に配設させることができ、ベース部２および手指装着部５との一体化が確実なものとなる。
【００１５】
尚、上記の課題を解決するための手段、発明の効果の項夫々において付記した符号は、図面中に記載した構成各部を示す部分との参照を容易にするために付したもので、図面中の符号によって示された構造・形状に本発明が限定されるものではない。
【発明を実施するための最良の形態】
【００１６】
以下、図面を参照して本発明を実施するための最良の一形態を説明する。図において示される符号１は、手指Ｑに装着して指圧・マッサージを行うための指圧器具である。
【００１７】
該指圧器具は、図１に示すように、例えば縦幅約３．２ｃｍ、横幅約７ｃｍ程度の例えば皮革製による２枚の帯板２ａ，２ｂの間に、例えば鉄板等の芯板３が内装されることにより矩形状の剛性のあるベース部２が形成される。該ベース部２の表面には芯板３と一体となるようにして半球状の指圧突起４が複数にして突設され、ベース部２の裏面には環状の手指装着部５が付設されてなる。
【００１８】
すなわち、芯板３の一面には、図２に示すように、例えば約２．５ｃｍ間隔毎に３つのボルト３ａが並列的に配置されることで一体的に突設されている。図示にあっては、芯板３に開口した取付部位に、ボルト３ａ端に形成したフランジ部を取付部位一方の開口の周縁に当接させて取付部位の他方に突出させることでボルト３ａは芯板３に位置決めされる。また、これらボルト３ａは、芯板３を包覆する一方の帯板２ａに、当該ボルト３ａの外径よりも若干大きなサイズとなって穿設した３つの各孔６に挿入されており、芯板３を挟み込み包覆するように反対側から他方の帯板２ｂを合致させ、両帯板２ａ，２ｂ同士の周辺部を縫合させてある。
【００１９】
尚、縫合に際し、これらの両帯板２ａ，２ｂと共に後述する手指装着部５における各環状帯も同時に縫合することで、ベース部２と手指装着部５との一体的結合を図ることができる。また、このように縫合することで、その縫い目が本発明に係る指圧器具１自体の装飾ともなる。
【００２０】
指圧突起４が並列配置されることで、例えば足裏Ｐの患部にあてがわれるとき、足裏Ｐに存する複数の経穴、経絡等を同時に刺戟でき、また押圧力が１カ所に集中されることなく適度に分散されることで、患部に対する所望の押圧力のものとなるようにできる。
【００２１】
芯板３とボルト３ａとは固定的に一体状とされることが望ましく、図示のように芯板３の開口部分に挿通することで固定する場合に限らず、例えば芯板３にボルト３ａを溶接することで一体化するも良い。
【００２２】
そして、各ボルト３ａには、頭部の先端が球面状を呈し、直径が例えば約１ｃｍ程度の半球状に形成してなる高さ約１．２ｃｍ程度の袋ナット状の剛性（硬質性）の指圧突起４をねじ込ませてある。
【００２３】
尚、指圧突起４はボルト３ａにねじ込まれることで固定されているが、このようなねじ込み式によらずに他の結合構成を採用することも可能であり、特にねじ込み構成に限定されるものではない。また、この指圧突起４それぞれはその表面が適宜に装飾されていても良く、例えば金あるいは銀メッキ処理されることで被膜が形成される。指圧突起４が例えば３個とされる場合、両側に位置するものが金メッキ処理され、中央に位置するものが銀メッキ処理される。もとより、メッキ処理されるときの種別、組合せ、配置その他はこれに限らないのは勿論である。
【００２４】
一方、ベース部２の裏面における他方の帯板２ｂ面には、手指Ｑの例えば人差指、中指、薬指それぞれを挿入するための例えば皮革製の３つの環状帯による手指装着部５が縫製されている。これら手指装着部５の各環状帯の内径の大きさは、人差指、中指、薬指それぞれの指サイズに合わせて形成されている。
【００２５】
また、手指装着部５の手指を挿入する各環状帯はベース部２の帯板２ｂにしっかりと固定されている必要がある。このため手指装着部５は、図３に示すように、略２重巻状にして形成してなる３つの環状帯それぞれが、帯板２ｂ内に帯板２ｂ自体に設けた切り込みを経て挿入されることで内部で帯板２ｂと一体状となって形成されることで当該手指装着部５がベース部２から離反、抜脱されることがないようにしてある。
【００２６】
尚、本形態においては、半球状の頭部を有する袋ナット状の指圧突起４を採用しているが、これに限らず、前記ボルト３ａに対し回動可能に装着した非磁性の回動球体としたり、あるいは磁気力を利用して身体の血行作用、活性化を促進するために、帯磁性もしくは磁性体を封入した磁性回動球体としたりして構成することも可能である。
【００２７】
次に、以上のように構成された最良の形態についての使用の一例について説明する。図４に示すように、手指Ｑにおける例えば人差指、中指、薬指それぞれの第１関節と第２関節との間に手指装着部５の各環状帯を装着するように、所定の手指に嵌め込む。このとき、ベース部２表面の指圧突起４が手の甲の側に位置するように装着する。そして、ベース部２の表面にある各指圧突起４を例えば足裏Ｐのツボに当てがうように押圧もしくは扱くようにして指圧・マッサージを行う。
【００２８】
また、肩・腰・顔・頭部・手掌等の指圧・マッサージを行う場合には、手指Ｑにおける人差指、中指、薬指それぞれの第１関節と第２関節との間に手指装着部５の各環状帯を装着するに際し、ベース部２表面の指圧突起４が手の平の側に位置するように装着しても良い。そして、ベース部２の表面にある各指圧突起４を肩・腰等のツボに当てがいながら押圧もしくは扱くようにして指圧・マッサージを行う。この指圧・マッサージに際し、複数で並列された指圧突起４を並行して移動させるようにすることで、足裏の複数の経穴、経絡等を同時に刺戟でき、一層有効な血流促進、組織の活性化その他の有効な刺戟を与える。また、隣接する指圧突起４相互によって、例えば足裏の側面を挟み込むようにして指圧することも可能である。
【００２９】
こうして、手指Ｑにおける人差指、中指、薬指それぞれの押圧力を加減することで指圧力を自由に調整でき、しかも手指装着部５の各環状帯の位置に対応して配置された指圧突起４は、これら人差指、中指、薬指に対応した箇所に位置付けされるため、足裏Ｐのツボを人差指、中指、薬指それぞれによって適確に刺戟することができる。
【００３０】
以上に説明した実施の形態にあって、手指装着部５は、各手指それぞれが個別に挿入されることでベース部２を介しての患部に対する指圧力が適確に得られるように配慮してあるが、複数の指が挿入されるやや大きな手指装着部５形態とすることも可能である。また、環状帯は挿入する手指が３本である場合に限らず、２本あるいは４本で挿入するものとして変更することも可能である。同様に、指圧突起４数も３個に限らず、２個あるいは４個とすることもでき、手指装着部５と同様にその数も特に限定されない。
【００３１】
また、指圧突起４は袋ナットに限らず、他の硬質性あるものであれば金属製のものに限らないことは勿論であり、少なくとも先端突部が球面状であることで足裏Ｐ面等を扱くように移動させることも容易であり、経穴、経絡に対する適宜な刺戟を与え得る。
【図面の簡単な説明】
【００３２】
【図１】本発明を実施するための最良の形態における指圧器具全体を示す斜視図である。
【図２】同じくベース部から指圧突起の一部を分解した状態の斜視図である。
【図３】同じく指圧器具の縦断面図である。
【図４】同じく指圧器具の足裏に対する使用状態の一例を示した側面図である。
【符号の説明】
【００３３】
Ｐ…足裏                                Ｑ…手指
１…指圧器具                            ２…ベース部
２ａ，２ｂ…帯板                        ３…芯板
３ａ…ボルト                            ４…指圧突起
５…手指装着部                          ６…孔
【図１】
2008188382.tif 000003
【図２】
2008188382.tif 000004
【図３】
2008188382.tif 000005
【図４】
2008188382.tif 000006